(57)【特許請求の範囲】
【請求項１】
無線通信機が通信を行うゾーンを選択して網側に位置登録をする位置登録手段と、前記選択されたゾーンでパケット通信方式の設定及び解除をする通信方式設定解除手段を備えた無線通信機において、
前記パケット通信方式の解除処理が正常に終了することなく、前記無線通信機の電源が遮断されたときは、該無線通信機の電源が次に投入されたときに前記パケット通信方式を解除するために前記位置登録をし、前記パケット通信方式の解除処理が正常に終了した後に前記無線通信機の電源が遮断された場合において該無線通信機の電源が次に投入されたときには、前記位置登録をしない制御手段を備えたことを特徴とする無線通信機。
【請求項２】
前記制御手段は、前記パケット通信方式の解除処理が正常に終了した後に前記無線通信機の電源が遮断された場合において該無線通信機の電源が次に投入されたときにおいて、更に前記電源遮断時において前記位置登録をしていた無線基地局と同じ基地局と通信可能か否かを判定し、
前記電源遮断時において前記位置登録をしていた無線基地局と同じ基地局と通信可能であれば位置登録をせず、通信可能でないならば当該基地局と異なる無線基地局に対して前記位置登録をすることを特徴とする請求項１に記載の無線通信機。
【請求項３】
前記制御手段は、前記パケット通信方式の解除前に前記無線通信機の電源遮断操作がされたときは、前記パケット通信方式の解除処理を行った後に無線通信機の電源を遮断することを特徴とする請求項１または２に記載の無線通信機。
【請求項４】
電源遮断操作がされたときに、
前記パケット通信方式の解除処理が行える状態であれば前記パケット通信方式の解除処理を行った後に前記無線通信機の電源を遮断し、
前記パケット通信方式の解除処理が行える状態でなければ前記パケット通信方式の解除処理を行うことなく無線通信機の電源を遮断することを特徴とする請求項１から３のいずれか一つに記載の無線通信機。
【請求項５】
電源遮断操作がされたときに、
前記パケット通信方式の解除処理が行える状態であれば前記パケット通信方式の解除処理を行った後に前記無線通信機の電源を遮断し、
前記パケット通信方式の解除処理が行える状態でなければ、前記パケット通信方式の解除処理を行うためのチャネルを選択して前記パケット通信方式の解除処理を行った後に、前記無線通信機の電源を遮断することを特徴とする請求項１から３のいずれか一つに記載の無線通信機。
【請求項６】
前記制御手段は、電源遮断操作がされて所定の時間経過前に前記パケット通信方式の解除処理が正常に終了しなければ、無線通信機の電源を遮断することを特徴とする請求項１から５のいずれか一つに記載の無線通信機。
【請求項７】
無線通信機が通信を行うゾーンを選択して網側に位置登録をする位置登録手段と、前記選択されたゾーンでパケット通信方式の設定及び解除をする通信方式設定解除手段を備えた無線通信機において、
前記パケット通信方式の解除処理が正常に終了することなく、前記無線通信機の電源が遮断されたときは、該無線通信機の電源が次に投入されたときに前記パケット通信方式を解除するために前記位置登録をし、
前記パケット通信方式の解除処理が正常に終了した後に前記無線通信機の電源が遮断された場合であって該無線通信機の電源が次に投入されたときにおいて、更に前記電源遮断時において前記位置登録をしていた無線基地局と通信可能であるときには前記位置登録を行わず、
前記パケット通信方式の解除処理が正常に終了した後に前記無線通信機の電源が遮断された場合であって該無線通信機の電源が次に投入されたときにおいて、更に前記電源遮断時において前記位置登録をしていた無線基地局と通信可能でないならば、当該基地局と異なる無線基地局に対して前記位置登録をする制御手段を備えたことを特徴とする無線通信機。
【発明の詳細な説明】
【０００１】
【発明が属する技術分野】
本発明は、複数の通信方式で通信をする無線通信機に関し、特に、通信方式の設定・解除に関する。
【０００２】
【従来の技術】
デジタル方式の移動体通信においては、音声通信の他に、フレーム毎にデータが区切られて送信される特性を利用して、回線を常時占有しないパケット方式によるデータ通信が行われている。
【０００３】
我国で普及しているＰＤＣ方式を利用したパケット通信（ＰＤＣ−Ｐ）では、パケット通信を開始するための処理として、パケット通信登録要求処理又はパケットチャネル登録要求処理が設けられている。そしてこのパケット通信を終了するためにパケット通信解除処理をして、ユーザパケットチャネル（ＵＰＣＨ）から制御チャネル（ＣＣＨ）に戻り、待受状態に移行する。
【０００４】
【発明が解決しようとする課題】
しかし、上述したパケット通信解除処理が行われずに移動機の電源が遮断されたり、パケット通信解除処理中に移動機の電源が遮断され、パケット通信解除処理が正常に終了しなかったりしたときに、基地局側（網側）ではパケット通信方式が継続しており、次にパケット通信を開始することができず、基地局の制御負担が大きくなる等の問題がある。
【０００５】
本発明は、パケット通信解除処理が正常に行われなかった場合でも、別にパケット通信解除処理を行うことなく、パケット通信を解除することができる無線通信機を提供することを目的とする。
【０００６】
第１の発明は、無線通信機が通信を行うゾーンを選択して網側に位置登録をする位置登録手段と、前記選択されたゾーンでパケット通信方式の設定及び解除をする通信方式設定解除手段を備えた無線通信機において、前記パケット通信方式の解除処理が正常に終了することなく、前記無線通信機の電源が遮断されたときは、該無線通信機の電源が次に投入されたときに前記パケット通信方式を解除するために前記位置登録をし、前記パケット通信方式の解除処理が正常に終了した後に前記無線通信機の電源が遮断された場合において該無線通信機の電源が次に投入されたときには、前記位置登録をしない制御手段を備えた。
【０００７】
第２の発明は、第１の発明において、前記制御手段は、前記パケット通信方式の解除処理が正常に終了した後に前記無線通信機の電源が遮断された場合において該無線通信機の電源が次に投入されたときにおいて、更に前記電源遮断時において前記位置登録をしていた無線基地局と同じ基地局と通信可能か否かを判定し、
前記電源遮断時において前記位置登録をしていた無線基地局と同じ基地局と通信可能であれば位置登録をせず、通信可能でないならば当該基地局と異なる無線基地局に対して前記位置登録をすることを特徴とする。
【０００８】
第３の発明は、第１〜第２の発明において、前記制御手段は、前記パケット通信方式の解除前に前記無線通信機の電源遮断操作がされたときは、前記パケット通信方式の解除処理を行った後に無線通信機の電源を遮断することを特徴とする。
【０００９】
第４の発明は、第１〜第３の発明において、電源遮断操作がされたときに、前記パケット通信方式の解除処理が行える状態であれば前記パケット通信方式の解除処理を行った後に前記無線通信機の電源を遮断し、前記パケット通信方式の解除処理が行える状態でなければ前記パケット通信方式の解除処理を行うことなく無線通信機の電源を遮断することを特徴とする。
【００１０】
第５の発明は、第１〜第３の発明において、電源遮断操作がされたときに、前記パケット通信方式の解除処理が行える状態であれば前記パケット通信方式の解除処理を行った後に前記無線通信機の電源を遮断し、前記パケット通信方式の解除処理が行える状態でなければ、前記パケット通信方式の解除処理を行うためのチャネルを選択して前記パケット通信方式の解除処理を行った後に、前記無線通信機の電源を遮断することを特徴とする。
【００１１】
第６の発明は、第１〜第５の発明において、前記制御手段は、電源遮断操作がされて所定の時間経過前に前記パケット通信方式の解除処理が正常に終了しなければ、無線通信機の電源を遮断することを特徴とする。
【００１２】
第７の発明は、無線通信機が通信を行うゾーンを選択して網側に位置登録をする位置登録手段と、前記選択されたゾーンでパケット通信方式の設定及び解除をする通信方式設定解除手段を備えた無線通信機において、前記パケット通信方式の解除処理が正常に終了することなく、前記無線通信機の電源が遮断されたときは、該無線通信機の電源が次に投入されたときに前記パケット通信方式を解除するために前記位置登録をし、前記パケット通信方式の解除処理が正常に終了した後に前記無線通信機の電源が遮断された場合であって該無線通信機の電源が次に投入されたときにおいて、更に前記電源遮断時において前記位置登録をしていた無線基地局と通信可能であるときには前記位置登録を行わず、前記パケット通信方式の解除処理が正常に終了した後に前記無線通信機の電源が遮断された場合であって該無線通信機の電源が次に投入されたときにおいて、更に前記電源遮断時において前記位置登録をしていた無線基地局と通信可能でないならば、当該基地局と異なる無線基地局に対して前記位置登録をする制御手段を備えた。
【００１３】
第１の発明では、パケット通信方式の解除処理が正常に終了することなく、無線通信機の電源が遮断されたときは、該無線通信機の電源が次に投入されたときにパケット通信方式を解除するために位置登録をし、前記パケット通信方式の解除処理が正常に終了した後に前記無線通信機の電源が遮断された場合において該無線通信機の電源が次に投入されたときには、前記位置登録をしない制御手段を備えたので、電源遮断時に行えなかった解除処理を、電源投入時に行うことができ、移動局との間でそのパケット通信方式による通信の設定が残存していても、その移動局との間で次にそのパケット通信方式による通信を設定しても重複してパケット通信方式が設定されることがない。
【００１４】
第２の発明では、前記制御手段は、前記パケット通信方式の解除処理が正常に終了した後に前記無線通信機の電源が遮断された場合において該無線通信機の電源が次に投入されたときにおいて、更に前記電源遮断時において前記位置登録をしていた無線基地局と同じ基地局と通信可能か否かを判定し、前記電源遮断時において前記位置登録をしていた無線基地局と同じ基地局と通信可能であれば位置登録をせず、通信可能でないならば当該基地局と異なる無線基地局に対して前記位置登録をするので、電源遮断時に行えなかった解除処理を、電源投入時に行うことができ、移動局との間でそのパケット通信方式による通信の設定が残存していても、その移動局との間で次にそのパケット通信方式による通信を設定しても重複してパケット通信方式が設定されることがない。
【００１５】
第３の発明では、制御手段は、パケット通信方式の解除前に無線通信機の電源遮断操作がされたときは、パケット通信方式の解除処理を行った後に無線通信機の電源を遮断するので、使用者が不用意に電源遮断操作をしたときにも、パケット通信方式を解除（通信リソースを開放）してから電源を遮断することができる。
【００１６】
第４の発明では、電源遮断操作がされたときに、パケット通信方式の解除処理が行える状態であればパケット通信方式の解除処理を行った後に無線通信機の電源を遮断し、パケット通信方式の解除処理が行える状態でなければパケット通信方式の解除処理を行うことなく無線通信機の電源を遮断するので、電源遮断操作後、短時間で無線通信機の電源を遮断することができる。
【００１７】
第５の発明では、電源遮断操作がされたときに、パケット通信方式の解除処理が行える状態であればパケット通信方式の解除処理を行った後に無線通信機の電源を遮断し、パケット通信方式の解除処理が行える状態でなければ、パケット通信方式の解除処理を行うためのチャネルを選択してパケット通信方式の解除処理を行った後に、無線通信機の電源を遮断するので、電源遮断操作後、確実にパケット通信方式の解除処理を行ってから無線通信機の電源を遮断することができる。
【００１８】
第６の発明では、制御手段は、電源遮断操作がされて所定の時間経過前にパケット通信方式の解除処理が正常に終了しなければ、無線通信機の電源を遮断するので、電源遮断操作後、パケット通信方式の解除処理の終了までに時間がかかっても、無線通信機の電源を遮断することができる。
【００１９】
【発明の実施の形態】
次に、本発明の実施の形態について図面を参照して説明する。
【００２０】
図１は、本発明の実施の形態の移動機（携帯電話機）のブロック図である。
【００２１】
アンテナ１は送信部２及び受信部３に接続されており、無線基地局からの電波（下りの信号）を受信し、無線基地局に対し電波（上りの信号）を送信する。無線部２は送信部３及び受信部４により構成され、送信部３はアンテナ１から送信する高周波信号を生成する。受信部４はアンテナ１で受信した高周波信号に増幅、周波数変換等をして、ベースバンド信号としてバースバンド処理部５に出力する。
【００２２】
ベースバンド処理部５はベースバンド信号を復調回路によって復調する。復調された信号は、符号化・復号化部６に送られ、符号化・復号化部６にて音声信号、データ信号に復号化される。また、符号化・復号化部６は音声信号、データ信号を符号化し、符号化された信号はベースバンド処理部５に送られ、変調される。変調された信号は、送信部３にて高周波信号に変換され、アンテナ１から送信される。
【００２３】
また、制御部９は、無線部２、ベースバンド処理部５、符号化・復号化部６等の携帯電話機の各部を制御する。無線部２に対してチャネルを指定して、送受信周波数を制御する。また、表示部１１に対しては、文字情報、携帯電話機の動作状態を表示する表示データを送り、操作部１２からの、文字、数字の入力、携帯電話機への動作の指示を受け付ける。また、操作部１２には電源スイッチが設けられており、制御部が電源スイッチの操作を検出すると、所定の電源遮断処理後に移動機の各部に供給する電源を遮断する。また、移動機の各部に電源を供給した後、所定の電源投入処理を行う。
【００２４】
図２は、本発明の実施の形態の移動機の電源投入時の処理のフローチャートである。
【００２５】
移動機の電源が投入され、制御部の初期化処理において、パケット通信異常終了フラグの設定内容が確認される（Ｓ１０１）。このパケット通信異常終了フラグは移動機の電源遮断時に設定され、パケット通信の終了処理が正常に終了することなく移動機の電願が遮断されると”１”が設定されるものである（図３のステップＳ１１９参照）。すなわち、パケット通信解除処理が正常に終了すれば、パケット通信異常終了フラグは設定されておらず、”０”となっている。
【００２６】
パケット通信異常終了フラグの設定内容の確認の結果、パケット通信異常終了フラグが”１”であれば、前の電源遮断時にパケット通信解除処理が正常に終了していないので、現在の位置登録エリアと電源遮断時の位置登録エリアとが同じか否かにかかわらず、位置登録をする（Ｓ１０４）。この移動機からの位置登録により、網側はパケット通信が解除されたものと判断して、パケット通信の終了処理を行う。
【００２７】
一方、パケット通信異常終了フラグの設定内容の確認の結果、パケット通信異常終了フラグが”０”であれば、前の電源遮断時にパケット通信解除処理が正常に終了しているので、報知チャネル（ＢＣＣＨ）において報知されている報知情報メッセージから位置登録エリアコードを取得して（Ｓ１０２）、電源投入時に取得した位置登録エリアコードと、電源遮断時に取得していた位置登録エリアコード（移動機の不揮発メモリに記憶されている）とが同じか否かを判定する（Ｓ１０３）。
【００２８】
ステップＳ１０３において、位置登録エリアコードが電源遮断時と同じであると判定されると（Ｓ１０３で”Ｙ”）、新たに位置登録を行わずにこの処理を終了する。一方、位置登録エリアコードが電源遮断時と異なると判定されると（Ｓ１０３で”Ｎ”）、新たに位置登録を行って（Ｓ１０４）、この処理を終了する。
【００２９】
図３は、本発明の第１の実施の形態の移動機の電源遮断時の処理のフローチャートであり、パケット通信中に移動機の電源スイッチの操作が検出されると実行されるものである。
【００３０】
移動機の電源スイッチの操作が検出されると、移動機内部の電源を遮断する前に、表示部１１に終了画面として、終了アニメーションを表示させ（Ｓ１１１）、操作部１２からの操作の受付を禁止する。
【００３１】
その後、パケット通信のための同期が取れているかを確認し（Ｓ１１３）、同期が取れていなければ（Ｓ１１３で”Ｎ”）、移動機はすぐにパケットを送信できる状態にないので、基地局に対してパケット通信解除要求信号を送信することなく（パケット通信解除処理を行うことなく）、ステップ１１９に進み、パケット通信が正常に終了していないことを示すパケット通信異常終了フラグを設定する。
【００３２】
一方、パケット通信の同期が取れていれば（Ｓ１１３で”Ｙ”）、移動機からすぐにパケットを送信できる状態なので、基地局に対してパケット通信解除要求信号を送信して、パケット通信解除処理を行う（Ｓ１１４）。そして、電源を強制的に遮断するためのタイマを起動して（Ｓ１１５）、タイマのループ（Ｓ１１６〜Ｓ１１８）に入る。
【００３３】
このタイマのループ（Ｓ１１６〜Ｓ１１８）ではパケット通信解除要求に対して、基地局から送信されるパケット通信解除応答信号が受信できるかを判定し（Ｓ１１６）、パケット通信解除応答信号が受信されれば（Ｓ１１６で”Ｙ”）、パケット通信異常終了フラグを設定することなく、移動機の電源を遮断する（Ｓ１２０）。
【００３４】
一方、基地局からのパケット通信解除要求に対する応答（パケット通信解除応答信号）がなかったり、基地局からの電波が遮断したり、基地局からの信号の同期が外れたりして、パケット通信解除応答信号が受信できなければ（Ｓ１１６で”Ｎ”）、タイマにより所定時間の経過を監視し、所定時間が経過してもパケット通信解除応答信号が受信できなければ（Ｓ１１８で”Ｙ”）、パケット通信解除処理が正常に終了していないので、パケット通信異常終了フラグを設定して（Ｓ１１９）、移動機の電源を遮断する（Ｓ１２０）。
【００３５】
このように、第１の実施の形態に係る移動機では、通信を行うゾーン（チャネル）を選択して基地局を介して移動通信制御局の加入者メモリに位置登録をし、選択されたゾーンでパケット通信の設定をしてパケット通信をし、パケット通信終了後にパケット通信を解除する。そして、パケット通信解除処理が正常に終了することなく、無線通信機の電源が遮断されたときは、その無線通信機の電源が次に投入されたときには、現在の位置登録エリアと電源遮断時の位置登録エリアとが同じか否かにかかわらず位置登録をするので、移動機の電源投入時に行われる位置登録によって、基地局側では移動機の電源遮断時に正常に行えなかったパケット通信の解除を行うことができ、次にその移動機との間でパケット通信を設定しても異常処理となることがない。
【００３６】
また、パケット通信中に移動機の電源スイッチが操作されたときは、パケット通信解除処理を行った後に移動機の電源を遮断するので、使用者が不用意に電源遮断操作をしたときにも、パケット通信解除処理によって、通信リソースを開放してから電源を遮断することができ、基地局の制御負担が増加することがない。
【００３７】
また、パケット通信中に移動機の電源スイッチが操作されたときに、移動機からパケットが送信できる（パケット通信解除処理が行える）状態であればパケット通信解除信号を送信して、パケット通信解除処理を行った後に移動機の電源を遮断する。また、移動機からパケットが送信できない（パケット通信解除処理が行えない）状態であれば、パケット通信解除信号を送信することなく（パケット通信解除処理を行うことなく）移動機の電源を遮断するので、パケット通信解除処理をのためのチャネルを設定して、この解除処理の条件を整えることなく、電源遮断操作後、短時間で移動機の電源を遮断することができる。
【００３８】
また、パケット通信中に移動機の電源スイッチが操作されると、タイマを起動して、所定時間の経過後にパケット通信解除処理が正常に終了していなければ、移動機の電源を遮断するので、電源スイッチの操作後、再送等によりパケット通信解除処理に長時間を要しても、無線通信機の電源を短時間で遮断することができる。
【００３９】
図４は、本発明の第２の実施の形態の移動機の電源遮断時の処理のフローチャートであり、パケット通信中に移動機の電源スイッチの操作が検出されると実行される。
【００４０】
この第２の実施の形態では、パケット通信の同期が取れていない場合の処理が、前述した第１の実施の形態と異なる。
【００４１】
移動機の電源スイッチの操作が検出されると、移動機内部の電源を遮断する前に、表示部１１に終了画面として、終了アニメーションを表示させ（Ｓ１３１）、操作部１２からの操作の受付を禁止する。
【００４２】
その後、パケット通信解除処置が正常に終了しなくても、電源を強制的に遮断するためのタイマを起動する（Ｓ１３３）。そして、パケット通信のための同期が取れているかを確認し（Ｓ１３４）、同期が取れていなければ（Ｓ１３４で”Ｎ”）、移動機はすぐにパケットを送信できる状態にないので、基地局に対してパケット通信解除要求信号を送信するための条件の調査を始める。まず、報知チャネル（ＢＣＣＨ）を受信し、報知チャネルの報知情報メッセージに含まれるユーザパケットチャネル（ＵＰＣＨ）の情報に基づいてユーザパケットチャネルを起動して、そのチャネルに同期をとる。その間タイマをカウントして所定時間の経過を監視しする（Ｓ１４１）。所定時間が経過してもユーザパケットチャネルを起動して、同期が取れなければ（Ｓ１４２で”Ｙ”）、パケット通信解除処理を正常に終了することができないので、ステップＳ１３９に移行して、パケット通信異常終了フラグを設定して、移動機の電源を遮断する（Ｓ１４０）。
【００４３】
一方、所定時間内にユーザパケットチャネルで同期が取れたなら（Ｓ１４２で”Ｎ”）、ユーザパケットチャネルでパケットを送信できる状態にあるので、同期したユーザパケットチャネルで、基地局に対してパケット通信解除要求信号を送信して（Ｓ１３５）、パケット通信解除処理を行う。
【００４４】
一方、パケット通信の同期が取れていれば（Ｓ１３４で”Ｙ”）、移動機からすぐにパケットを送信できる状態なので、基地局に対してパケット通信解除要求信号を送信して、パケット通信解除処理を行う（Ｓ１３５）。そして、タイマのループ（Ｓ１３６〜Ｓ１３８）に入る。
【００４５】
このタイマのループ（Ｓ１３６〜Ｓ１３８）ではパケット通信解除要求に対して、基地局から送信されるパケット通信解除応答信号が受信できるかを判定し（Ｓ１３６）、パケット通信解除応答信号が受信されれば（Ｓ１３６で”Ｙ”）、パケット通信異常終了フラグを設定することなく、移動機の電源を遮断する（Ｓ１４０）。
【００４６】
一方、基地局からのパケット通信解除要求に対する応答（パケット通信解除応答信号）がなかったり、基地局からの電波が遮断したり、基地局からの信号の同期が外れたりして、パケット通信解除応答信号が受信できなければ（Ｓ１３６で”Ｎ”）、タイマにより所定時間の経過を監視し、所定時間が経過してもパケット通信解除応答信号が受信できなければ（Ｓ１３８で”Ｙ”）、パケット通信解除処理が正常に終了していないので、パケット通信異常終了フラグを設定して（Ｓ１３９）、移動機の電源を遮断する（Ｓ１４０）。
【００４７】
このように、第２の実施の形態に係る移動機では、パケット通信中に移動機の電源スイッチが操作されたときに、移動機からパケットが送信できる（パケット通信解除処理が行える）状態であればパケット通信解除信号を送信して、パケット通信解除処理を行った後に移動機の電源を遮断する。また、移動機からパケットが送信できない（パケット通信解除処理が行えない）状態であれば、パケット通信解除信号を送信するためのチャネルを選択し、パケット通信解除信号を送信して、パケット通信解除処理を行った後に、移動機の電源を遮断するので、確実にパケット通信の解除処理をしてから無線通信機の電源を遮断することができる。
【図面の簡単な説明】
【図１】  本発明の実施の形態の移動機のブロック図である。
【図２】  本発明の実施の形態の移動機の電源投入時のフローチャートである。
【図３】  本発明の第１の実施の形態の移動機の電源遮断時のフローチャートである。
【図４】  本発明の第２の実施の形態の移動機の電源遮断時のフローチャートである。
【符号の説明】
１  アンテナ
２  無線部
３  送信部
４  受信部
５  ベースバンド処理部
６  符号化・復号化部
７  送話部
８  受話部
９  制御部
１０  記憶部
１１  表示部
１２  操作部
【図１】
0004660023.tif 000002
【図２】
0004660023.tif 000003
【図３】
0004660023.tif 000004
【図４】
0004660023.tif 000005